(57)【要約】【課題】巻き癖のある合成樹脂製の管であっても、簡単かつ容易に引き出して配管することができる、管の梱包装置を提供する。【解決手段】梱包装置２は、合成樹脂製の配管材からなる通水管１を梱包する梱包装置である。この梱包装置２は、段ボール箱体３を備え、その段ボール箱体３に、周回状に巻回された前記通水管１が、その周回方向に回動可能に収容される。そして、段ボール箱体３には、通水管１を、その外周側の端部から順に外に引き出すための引出孔３ａが形成されている。そして、通水管１の、引出孔３ａからの引き出しに伴って、段ボール箱体３内の通水管１の巻回された巻回部１ａが、解かれるようにして回動する。【選択図】　図１
2004001864.tif 000002
【特許請求の範囲】
【請求項１】
合成樹脂製の配管材からなる、可撓性を備えた長尺状の管を、梱包する梱包装置であって、
周回状に巻回された前記管をその周回方向に回動可能に収容する、段ボール箱体を備え、
前記段ボール箱体には、前記管を、その外周側の端部から順に外に引き出すための引出部が形成され、
前記管の、前記引出部からの引き出しに伴って、前記段ボール箱体内の前記管の巻回された巻回部が解かれるようにして回動することを特徴とする、管の梱包装置。
【請求項２】
請求項１に記載の梱包装置において、
前記管は、架橋ポリエチレン製あるいはポリブデン製等の配管材からなる、通水管であることを特徴とする、管の梱包装置。
【請求項３】
請求項１または２に記載の梱包装置において、
前記段ボール箱体内に、前記巻回部の回動を案内すべく、その巻回部の内周面と接触し得る内側ローラを備えることを特徴とする、管の梱包装置。
【請求項４】
請求項３に記載の梱包装置において、
前記内側ローラは、複数設けられていることを特徴とする、管の梱包装置。
【請求項５】
請求項３または４に記載の梱包装置において、
前記管を支持するとともに、その支持状態で前記段ボール箱体内に収容される支持体を備え、
前記支持体は、一対の対面板と、それら対面板間に架設される前記内側ローラとを有することを特徴とする、管の梱包装置。
【請求項６】
請求項５に記載の梱包装置において、
前記支持体は、前記段ボール箱体内で移動しないよう位置決めされることを特徴とする、管の梱包装置。
【請求項７】
請求項３に記載の梱包装置において、
前記内側ローラは、一つであって、
その内側ローラは、前記巻回部の側面と前記段ボール箱体の内面との接触を防ぐ、接触防止部を備えてなることを特徴とする、管の梱包装置。
【請求項８】
請求項１または２に記載の梱包装置において、
前記段ボール箱体内に、前記巻回部の回動を案内すべく、その巻回部の外周面と接触し得る外側ローラを備えることを特徴とする、管の梱包装置。
【請求項９】
請求項８に記載の梱包装置において、
前記外側ローラは、前記段ボール箱体内のコーナー部に配設されることを特徴とする、管の梱包装置。
【請求項１０】
請求項９に記載の梱包装置において、
前記管を支持する支持体を備え、
前記支持体は、一対の対面板と、それら対面板間に架設される前記外側ローラとを有し、
前記支持体は、前記コーナー部を構成する、前記段ボール箱体の隅角面に当接して位置決めされることを特徴とする、管の梱包装置。
【請求項１１】
請求項１または２に記載の梱包装置において、
前記巻回部が、その一方の側面を下にして載せられるとともに、前記段ボール箱体に対して前記巻回部の周回方向に回動可能となる、回動体を備えることを特徴とする、管の梱包装置。
【請求項１２】
請求項１１に記載の梱包装置において、
前記回動体と前記段ボール箱体側との接触部には、前記回動体の回動を円滑にするための、滑材のコーティング層が設けられていることを特徴とする、管の梱包装置。
【請求項１３】
請求項１または２に記載の梱包装置において、
前記段ボール箱体内に、前記巻回部の回動を案内すべく、その巻回部の内周面と接触し得る内側ローラおよび、前記巻回部の外周面と接触し得る外側ローラを備えることを特徴とする、管の梱包装置。
【請求項１４】
請求項３ないし７のいずれか１項、または請求項１３に記載の梱包装置において、
前記内側ローラは、前記巻回部の内周面と接触し得る、多角形状の枠からなる複数の枠部材を備え、それら枠部材が、前記内側ローラの回動方向に相対的にずれた位置で組み付けられていることを特徴とする、管の梱包装置。
【請求項１５】
請求項１４に記載の梱包装置において、
前記枠部材には、切込みが形成されており、それら切込みが、合わさるようにして、前記複数の枠部材が組み付けられていることを特徴とする、管の梱包装置。
【請求項１６】
請求項１５に記載の梱包装置において、
前記枠部材は、正四角形状の枠からなるとともに、二つ設けられて、それら枠部材が、前記内側ローラの回動方向に相対的に４５度ずれた位置で組み付けられていることを特徴とする、管の梱包装置。
【請求項１７】
請求項１ないし１６のいずれか１項に記載の梱包装置において、
前記段ボール箱体内における、前記引出部の付近に、前記管の引き出しを案内する案内ローラを備えることを特徴とする、管の梱包装置。
【発明の詳細な説明】
【０００１】
【発明の属する技術分野】
この発明は、合成樹脂製の可撓性を備えた通水管等の管を梱包する、管の梱包装置に関するものである。
【０００２】
【従来の技術】
従来、例えば、架橋ポリエチレン製等の合成樹脂製の可撓性を備えた通水管は、数十ｍ単位の長尺体が巻回された状態で、樹脂バンドにより固定され、段ボール箱内に収容されていた。このように段ボール箱内に収容された通水管は、施工現場等において、巻回状態のまま段ボール箱内から取り出された。そして、この通水管は、例えば、ヘッダー等の湯水供給体と、水栓が接続される継手等の湯水消費体との間に所定の配管経路をもって配管された鞘管内に、先端側から順次送り込まれるようにして挿通された。
【０００３】
【発明が解決しようとする課題】
ところで、前記従来の巻回状態の通水管にあっては、巻き癖が強く、巻回状態の通水管を、回転させずにそのまま引き出すと、前記巻き癖と引き出された通水管の捩れにより、この通水管を鞘管内に挿通することが困難であった。
【０００４】
そこで、例えば、複数人の作業者により、一人が巻回状態の通水管を回動可能に保持し、もう一人が通水管を先端側から順次引き出して鞘管内に挿通することで、その通水管を配管するようにしていた。また、別途、回転ドラムを用意し、段ボール箱内から取り出した巻回状態の通水管を、回転ドラムに装着し、その回転ドラムにより、巻回状態の通水管を回転させるようにして、通水管を先端側から引き出すこともあった。
【０００５】
しかし、上記のいずれの引き出し方法も、複数人の作業者を必要としたり、回転ドラムを用意する必要があったりして、面倒で作業性が悪かった。
【０００６】
この発明は、上記した従来の欠点を解決するためになされたものであり、その目的とするところは、巻き癖のある合成樹脂製の管であっても、簡単かつ容易に引き出して配管することができる、管の梱包装置を提供することにある。
【０００７】
【課題を解決するための手段】
この発明に係る管の梱包装置は、前記目的を達成するために、次の構成からなる。すなわち、
請求項１に記載の発明に係る管の梱包装置は、合成樹脂製の配管材からなる、可撓性を備えた長尺状の管を、梱包する梱包装置である。この梱包装置は、周回状に巻回された前記管をその周回方向に回動可能に収容する、段ボール箱体を備える。そして、前記段ボール箱体には、前記管を、その外周側の端部から順に外に引き出すための引出部が形成され、前記管の、前記引出部からの引き出しに伴って、前記段ボール箱体内の前記管の巻回された巻回部が解かれるようにして回動する。
【０００８】
これにより、梱包装置は、段ボール箱体を備え、この段ボール箱体に、周回状に巻回された合成樹脂製の配管材からなる管が、周回方向に回動可能に収容される。このように、巻回された管は、段ボール箱体に収容されて、保管されたり運搬されたりする。そして、管を配管する場合には、段ボール箱体内の管を、外周側の端部から順に、段ボール箱体に形成された引出部を通して、外に引き出すと、段ボール箱体内の管の巻回された巻回部が解かれるようにして回動する。
【０００９】
また、請求項２に記載の発明に係る管の梱包装置のように、請求項１に記載の梱包装置において、前記管は、架橋ポリエチレン製あるいはポリブデン製等の配管材からなる、通水管であってもよい。
【００１０】
また、請求項３に記載の発明に係る管の梱包装置のように、請求項１または２に記載の梱包装置において、前記段ボール箱体内に、前記巻回部の回動を案内すべく、その巻回部の内周面と接触し得る内側ローラを備えてもよい。こうして、段ボール箱体内の内側ローラが、管の巻回部の内周面と接触して、その巻回部の回動を案内する。
【００１１】
また、請求項４に記載の発明に係る管の梱包装置のように、請求項３に記載の梱包装置において、前記内側ローラは、複数設けられてもよい。
【００１２】
また、請求項５に記載の発明に係る管の梱包装置のように、請求項３または４に記載の梱包装置において、前記管を支持するとともに、その支持状態で前記段ボール箱体内に収容される支持体を備え、前記支持体は、一対の対面板と、それら対面板間に架設される前記内側ローラとを有してもよい。こうして、巻回部の回動を案内する内側ローラは、一対の対面板に架設される。そして、これら対面板と内側ローラとを有する支持体は、管を支持するその支持状態で、段ボール箱体内に収容される。
【００１３】
また、請求項６に記載の発明に係る管の梱包装置のように、請求項５に記載の梱包装置において、前記支持体は、前記段ボール箱体内で移動しないよう位置決めされるのが望ましい。こうして、管を支持する支持体が、段ボール箱体内で移動しないよう位置決めされることで、管は、段ボール箱体内に安定して収容されるとともに、その巻回部は安定して回動する。
【００１４】
また、請求項７に記載の発明に係る管の梱包装置のように、請求項３に記載の梱包装置において、前記内側ローラは、一つであって、その内側ローラは、前記巻回部の側面と前記段ボール箱体の内面との接触を防ぐ、接触防止部を備えてもよい。こうして、この接触防止部によって、巻回部の側面が、段ボール箱体と擦るのを防止することができ、この内側ローラの回動、すなわち巻回部の回動が円滑に行われる。
【００１５】
また、請求項８に記載の発明に係る管の梱包装置のように、請求項１または２に記載の梱包装置において、前記段ボール箱体内に、前記巻回部の回動を案内すべく、その巻回部の外周面と接触し得る外側ローラを備えてもよい。こうして、段ボール箱体内の外側ローラが、管の巻回部の外周面と接触して、その巻回部の回動を案内する。
【００１６】
また、請求項９に記載の発明に係る管の梱包装置のように、請求項８に記載の梱包装置において、前記外側ローラは、前記段ボール箱体内のコーナー部に配設されてもよい。こうして、巻回部の回動を案内する外側ローラが、段ボール箱体内のコーナー部に配設されることで、コーナー部のスペースが有効利用される。
【００１７】
また、請求項１０に記載の発明に係る管の梱包装置のように、請求項９に記載の梱包装置において、前記管を支持する支持体を備え、前記支持体は、一対の対面板と、それら対面板間に架設される前記外側ローラとを有し、前記支持体は、前記コーナー部を構成する、前記段ボール箱体の隅角面に当接して位置決めされてもよい。こうして、巻回部の回動を案内する外側ローラは、一対の対面板に架設される。そして、これら対面板と外側ローラとを有する支持体は、ダンボール箱体内のコーナー部を構成する隅角面に当接して位置決めされることで、管は、段ボール箱体内に安定して収容されるとともに、その巻回部は安定して回動する。
【００１８】
また、請求項１１に記載の発明に係る管の梱包装置のように、請求項１または２に記載の梱包装置において、前記巻回部が、その一方の側面を下にして載せられるとともに、前記段ボール箱体に対して前記巻回部の周回方向に回動可能となる、回動体を備えてもよい。これにより、回動体に、巻回部が、その一方の側面を下にして載せられる。このとき、回動体は、段ボール箱体に対して巻回部の周方向に回動可能となっており、巻回部は、この回動体を介して回動する。
【００１９】
また、請求項１２に記載の発明に係る管の梱包装置のように、請求項１１に記載の梱包装置において、前記回動体と前記段ボール箱体側との接触部には、前記回動体の回動を円滑にするための、滑材のコーティング層が設けられてもよい。こうして、回動体と段ボール箱体側との接触部に設けられた、滑材のコーティング層によって、回動体の回動が円滑となり、巻回部は、この回動体を介して滑らかに回動する。
【００２０】
また、請求項１３に記載の発明に係る管の梱包装置のように、請求項１または２に記載の梱包装置において、前記段ボール箱体内に、前記巻回部の回動を案内すべく、その巻回部の内周面と接触し得る内側ローラおよび、前記巻回部の外周面と接触し得る外側ローラを備えてもよい。こうして、段ボール箱体内の内側ローラが、管の巻回部の内周面と接触し、さらに、段ボール箱体内の外側ローラが、管の巻回部の外周面と接触して、その巻回部の回動を案内する。
【００２１】
また、請求項１４に記載の発明に係る管の梱包装置のように、請求項３ないし７のいずれか１項、または請求項１３に記載の梱包装置において、前記内側ローラは、前記巻回部の内周面と接触し得る、多角形状の枠からなる複数の枠部材を備え、それら枠部材が、前記内側ローラの回動方向に相対的にずれた位置で組み付けられてもよい。これにより、内側ローラは、多角形状の枠からなる複数の枠部材が、管における巻回部の内周面と接触して、巻回部の回動を案内する。ここで、多角形状の枠からなる枠部材は、複数が、内側ローラの回動方向に相対的にずれた位置で組み付けられているため、複数の枠部材の多数の頂辺が、巻回部の内周面と接触可能となり、それら頂辺によって効果的に巻回部の回動が案内される。
【００２２】
また、請求項１５に記載の発明に係る管の梱包装置のように、請求項１４に記載の梱包装置において、前記枠部材には、切込みが形成されており、それら切込みが、合わさるようにして、前記複数の枠部材が組み付けられてもよい。こうして、枠部材に形成された切込みが合わさるようにして、複数の枠部材が組み付けられることから、その組み付けが容易となる。
【００２３】
また、請求項１６に記載の発明に係る管の梱包装置のように、請求項１５に記載の梱包装置において、前記枠部材は、正四角形状の枠からなるとともに、二つ設けられて、それら枠部材が、前記内側ローラの回動方向に相対的に４５度ずれた位置で組み付けられてもよい。
【００２４】
また、請求項１７に記載の発明に係る管の梱包装置のように、請求項１ないし１６のいずれか１項に記載の梱包装置において、前記段ボール箱体内における、前記引出部の付近に、前記管の引き出しを案内する案内ローラを備えるのが望ましい。こうして、管は、引出部の付近において案内ローラに案内されるので、その管の引き出しが滑らかとなる。
【００２５】
【発明の実施の形態】
以下、この発明に係る管の梱包装置の実施の形態を図面に基づいて説明する。
【００２６】
図１ないし図３は、本発明に係る管の梱包装置の第一の実施の形態を示す。図中符号１は、合成樹脂製の配管材からなる、可撓性を備えた長尺状の管、例えば、架橋ポリエチレン製あるいはポリブデン製等の配管材からなる、通水管である。２は、前記管としての通水管１を梱包する梱包装置である。
【００２７】
この梱包装置２は、周回状に巻回された前記通水管１をその周回方向に回動可能に収容する、例えば紙製の、段ボール箱体３を備えている。そして、この段ボール箱体３には、通水管１を、その外周側の端部から順に外に引き出すための引出部としての引出孔３ａが形成されている。こうして、通水管１の、引出孔３ａからの引き出しに伴って、段ボール箱体２内の通水管１の巻回された巻回部１ａが解かれるようにして回動する。詳細には、梱包装置２は、段ボール箱体３内に、巻回部１ａの回動を案内すべく、その巻回部１ａの内周面１ｂと接触し得る内側ローラ４を備える。そして、この第一の実施の形態においては、内側ローラ４は、複数、例えば三つ設けられている。
【００２８】
具体的には、段ボール箱体３は、紙製の段ボール、例えば両面段ボールからなり、直方体形状に形成されている。そして、段ボール箱体３は、その直方体形状の最大面積を持つ正面および背面のそれぞれに、後述するホック１０が通る孔３ｂ、３ｂ、および、把手となる第１長孔３ｃが設けられている。さらに、段ボール箱体３の側面には、前述の引出孔３ａが設けられ、上面側は、開閉可能な蓋部３ｄとなっている。
【００２９】
また、梱包装置２は、通水管１を支持するとともに、その支持状態で段ボール箱体３内に収容される支持体５を備えている。そして、この支持体５は、一対の対面板６、６と、それら対面板６、６間に架設される前記内側ローラ４、４とを有する。対面板６は、例えば紙製の段ボール（図示実施の形態においては、複両面段ボール）からなり、縦長の長方形形状に形成されている。そして、対面板６には、軸受としてのメタル７が挿入される孔６ａ、６ａ、および、前記第１長孔３ｃと互いに連通位置して、その長孔３ｃとともに把手となる第２長孔６ｂが形成されている。さらに、対面板６の下端および上端には、矩形形状の第１および第２切欠き６ｃ、６ｄが形成されている。そして、両対面板６、６に渡されるようにして、第１切欠き６ｃ、６ｃに第１ガイド材８が取り外し可能に嵌められ、第２切欠き６ｄ、６ｄに第２ガイド材９が取り外し可能に嵌められる。
【００３０】
内側ローラ４は、図２に示すように、例えば紙製の管体４ａと、その管体４ａの各端部に挿入されて管体４ａを支持するカップ４ｂとからなる。このカップ４ｂには、その底壁中央から外方に筒状に突出する軸部４ｃが設けられている。そして、この軸部４ｃが、対面板６の孔６ａに、メタル７とともに挿入され、こうして、カップ４ｂ、４ｂは、管体４ａとともに、対面板６、６に対して回動可能に支持される。さらに、軸部４ｃには、抜止め部材としてのホック１０が、対面板６の外側から挿入されて、カップ４ｂは、対面板６に対して抜け止めされる。
【００３１】
ここで、通水管１は、予め周回状に巻回されて、対面板６、６と内側ローラ４、４とを組み付ける際に、内側ローラ４、４に支持されるようにして、支持体５に組み込まれる。そして、この通水管１が組み込まれた支持体５が、第１および第２ガイド材８、９とともに、段ボール箱体３に入れられる。このとき、段ボール箱体３内には、その左右の側方に、予め第３および第４ガイド材１１、１２がそれぞれ取り外し可能に入れられており、前述の第１および第２ガイド材８、９と、この第３および第４ガイド材１１、１２が、通水管１（巻回部１ａ）の、下方および上方と、左方および右方において、通水管１（巻回部１ａ）が広がらないように、あるいはガタつかないようにガイドしている。また、このとき、ホック１０の頭部は、ダンボール箱体３の孔３ｂ内に位置するようになっている。したがって、このホック１０は、支持体５をダンボール箱体３に入れる前に、前もって対面板６に組み付けられてもよいが、支持体５をダンボール箱体３に入れた後に、外側から段ボール箱体３の孔３ｂを通して対面板６に組み付けられてもよい。なお、支持体５が段ボール箱体３に入れられた後には、支持体５の対面板６、６と段ボール箱体３とが、ステープル１３、１３によって止められる。こうして、支持体５は、段ボール箱体３内で移動しないよう位置決めされるとともに、固定される。
【００３２】
次に、第一の実施の形態に示す梱包装置２の作用効果について説明する。この梱包装置２によると、段ボール箱体３に、周回状に巻回された通水管１が、周回方向に回動可能に収容される。このように、巻回された通水管１は、段ボール箱体３に収容されて、保管されたり運搬されたりする。そして、通水管１を配管する場合には、段ボール箱体３から、第１および第２ガイド材８、９、並びに、第３および第４ガイド材１１、１２を取り除く。その後、段ボール箱体３内の通水管１を、外周側の端部から順に、段ボール箱体３に形成された引出孔３ａを通して、外に引き出すと、段ボール箱体３内の通水管１の巻回された巻回部１ａが解かれるようにして回動する。このとき、段ボール箱体３内の内側ローラ４、４が、通水管１の巻回部１ａの内周面１ｂと接触して、その巻回部１ａの回動を案内する。
【００３３】
そして、このように、段ボール箱体３内の通水管１を、引出孔３ａを通して外に引き出すと、巻回部１ａが解かれるようにして回動するので、通水管１が捩れることがない。したがって、通水管１の巻き癖を取りながら引き出すことができ、一般に巻き癖が強いと言われる、架橋ポリエチレン製あるいはポリブデン製等の合成樹脂製の通水管１であっても、簡単かつ容易に引き出して配管する（例えば、予め所定の配管経路に沿って配備された鞘管内に挿通する）ことができる。
【００３４】
また、巻回部１ａの回動を案内する内側ローラ４、４は、一対の対面板６、６に架設されており、これら対面板６、６と内側ローラ４、４とを有する支持体５が、通水管１（巻回部１ａ）を支持するその支持状態で、段ボール箱体３内に収容される。こうして、通水管１は、段ボール箱体３内において、これら対面板６、６および内側ローラ４、４を介して支持されることとなる。そして、内側ローラ４は、複数（図示実施の形態においては三つ）設けられており、それら内側ローラ４、４が、巻回部１ａの内周面１ｂを複数位置で支持することとなり、これら内側ローラ４、４によって、巻回部１ａを安定して支持することができる。
【００３５】
また、通水管１を支持する支持体５が、その支持体５の対面板６、６と段ボール箱体３とを止めるステープル１３、１３によって、段ボール箱体３内で移動しないよう位置決めされるとともに固定されるので、通水管１は、段ボール箱体３内に安定して収容されるとともに、その巻回部１ａは安定して回動する。しかも、この梱包装置２の運搬時等における、通水管１のガタつきを防ぐために、段ボール箱体３にガイド材８、９、１１、１２が入れられているが、通水管１を段ボール箱体３の引出孔３ａから引き出して配管する際には、ガイド材８、９、１１、１２が取り除かれるので、通水管１の回動抵抗は小さくなる。そして、このように、通水管１の回動抵抗が小さくなることから、この通水管１を引出孔３ａから円滑に引き出すことができる。もっとも、ガイド材８、９、１１、１２を段ボール箱体３から取り除くことなく、通水管１を引出孔３ａから引き出してもよい。なお、この場合には、支持体５を段ボール箱体３内にステープル１３、１３によって固定しなくとも、例えば、第１ガイド材８を、段ボール箱体３の底板３ｅに固定することによっても、この第１ガイド材８を介して、通水管１を支持する支持体５を、段ボール箱体３内で移動しないよう位置決めすることができる。そして、この場合にも、同様にして、通水管１を、段ボール箱体３内に安定して収容するとともに、その巻回部１ａを安定して回動させることができる。
【００３６】
図４ないし図６は、本発明に係る管の梱包装置の第二の実施の形態を示す。この第二の実施の形態は、第一の実施の形態とは、内側ローラ４の数が異なるが、他はほぼ同様であり、以下に、異なる部分を主に説明する。
【００３７】
この実施の形態においては、巻回部１ａの内周面１ｂと接触し得る内側ローラ４は、一つであり、支持体５の中央付近に位置している。そして、段ボール箱体３には、孔３ｂは形成されておらず、ホック１０は、その全体がダンボール箱体３内に位置している。また、ダンボール箱体３には、第１長孔３ｃの代わりに、後述する固定片６ｆが通される窓３ｆが形成されている。
【００３８】
支持体５における対面板６には、第２長孔６ｂの代わりに、例えばコの字状の切込み６ｅが形成されており、この切込み６ｅによって囲まれる部分が、固定片６ｆとなっている。そして、支持体５が、通水管１とともに、ダンボール箱体３に入れられた後には、固定片６ｆが、窓３ｆを通って外側に折り返される。そして、この固定片６ｆ部分において、支持体５の対面板６とダンボール箱体３とが、ステープル１３によって止められる。こうして、支持体５は、ダンボール箱体３内で移動しないよう位置決めされるとともに、固定される。そして、ダンボール箱体３の窓３ｆ、３ｆおよび、対面板６、６の、折り返された後にできる開口部６ｇ、６ｇは、互いに連通位置して、この梱包装置２を持ち運ぶ際の把手として機能する。
【００３９】
また、この梱包装置２には、第１および第２ガイド材８、９、そして第３および第４ガイド材１１、１２は設けられておらず、代わりに、ダンボール箱体３内の各コーナー部に、通水管１（巻回部１ａ）が広がらないように、あるいはガタつかないようにガイドする、コーナー部ガイド材１４が取り外し可能に設けられている。このコーナー部ガイド材１４は、断面コの字状に形成されて、そのコの字を形成する中間の片が、巻回部１ａの外周面１ｃと向かい合うように傾斜している。
【００４０】
この第二の実施の形態に示す梱包装置２の作用効果は、第一の実施の形態とほぼ同様であるが、内側ローラ４が一つであることから、支持体５つまりは梱包装置２の構造を簡単化することができる。そして、支持体５の固定片６ｆが、ダンボール箱体３の窓３ｆを通って止められることから、支持体５をダンボール箱体３に確実に固定することができる。
【００４１】
そして、この第二の実施の形態においても、第一の実施の形態と同様にして、梱包装置２の運搬時等における、通水管１のガタつきを防ぐために、段ボール箱体３にコーナー部ガイド材１４、１４が入れられているが、通水管１を段ボール箱体３の引出孔３ａから引き出して配管する際には、コーナー部ガイド材１４、１４を取り除くことで、通水管１の回動抵抗は小さくなる。そして、このように、通水管１の回動抵抗が小さくなることから、この通水管１を引出孔３ａから円滑に引き出すことができる。なお、勿論、第一の実施の形態と同様に、コーナー部ガイド材１４、１４を段ボール箱体３から取り除くことなく、通水管１を引出孔３ａから引き出してもよい。
【００４２】
図７および図８は、本発明に係る管の梱包装置の第三の実施の形態を示す。この第三の実施の形態は、第一の実施の形態と比較すると、内側ローラ４の代わりに、外側ローラ１５が設けられているが、他はほぼ同様であり、以下に、異なる部分を主に説明する。
【００４３】
すなわち、この実施の形態においては、梱包装置２は、ダンボール箱体３内に、巻回部１ａの回動を案内すべく、その巻回部１ａの外周面１ｃと接触し得る外側ローラ１５を備えている。そして、この外側ローラ１５は、ダンボール箱体３内のコーナー部に配設されている。また、この第三の実施の形態においては、外側ローラ１５は、複数、例えば、二つ設けられており、それら外側ローラ１５、１５は、ダンボール箱体３内の下側の各コーナー部に配設されている。
【００４４】
詳細には、梱包装置２は、通水管１を支持する支持体１６、１６を備える。この支持体１６は、図８に示すように、一対の対面板１７ａ、１７ａと、それら対面板１７ａ、１７ａ間に架設される前記外側ローラ１５とを有する。そして、支持体１６（より詳細には、支持体１６の後述する枠体１７）は、前記コーナー部を構成する、ダンボール箱体３の隅角面Ｓ、Ｓに当接して位置決めされる（図７参照）。具体的には、対面板１７ａは、例えば断面コの字状に形成された枠体１７の、向かい合う片によって構成されている。ここで、対面板１７ａ、つまりは枠体１７は、例えば紙製の段ボールからなる。そして、対面板１７ａには、軸受としてのメタル７が挿入される孔１７ｂが形成されている。
【００４５】
外側ローラ１５は、第一の実施の形態に示す内側ローラ４と同様に、例えば紙製の管体１５ａと、その管体１５ａの各端部に挿入されて管体１５ａを支持するカップ１５ｂとからなる。このカップ１５ｂには、その底壁中央から外方に筒状に突出する軸部１５ｃが設けられている。そして、この軸部１５ｃが、対面板１７ａの孔１７ｂに、メタル７とともに挿入され、こうして、カップ１５ｂ、１５ｂは、管体１５ａとともに、対面板１７ａ、１７ａに対して回動可能に支持される。そして、軸部１５ｃには、抜止め部材としてのホック１０が、対面板１７ａの外側から挿入されて、カップ１５ｂは、対面板１７ａ（枠体１７）に対して抜け止めされる。
【００４６】
そして、通水管１は、予め周回状に巻回されて、ダンボール箱体３に入れられ、下側の各コーナー部に配備されている支持体１６によって支持される。なお、この梱包装置２には、第２ガイド材９、そして第３および第４ガイド材１１、１２は設けられておらず、第１ガイド材８に加えて、ダンボール箱体１内の上側の各コーナー部に、通水管１（巻回部１ａ）が広がらないように、あるいはガタつかないようにガイドする、コーナー部ガイド材１４が取り外し可能に設けられている。
【００４７】
この第三の実施の形態に示す梱包装置２の作用効果は、第一の実施の形態とほぼ同様であるが、内側ローラ４の代わりに外側ローラ１５を備えることから、段ボール箱体３内の通水管１を、外周側の端部から順に、引出孔３ａを通して外に引き出すと、外側ローラ１５が、通水管１の巻回部１ａの外周面１ｃと接触して、その巻回部１ａの回動を案内し、巻回部１ａは、解かれるようにして回動する。このようにして、巻回部１ａが解かれるようにして回動するので、通水管１が捩れることがなく、一般に巻き癖が強いといわれる、架橋ポリエチレン製あるいはポリブデン製等の合成樹脂製の通水管１であっても、簡単かつ容易に引き出して配管することができる。
【００４８】
また、巻回部１ａの回動を案内する外側ローラ１５（支持体１６）が、段ボール箱体３内のコーナー部に配設されることで、コーナー部のスペースを有効利用することができる。そして、外側ローラ１５を含む支持体１６は、ダンボール箱体３内のコーナー部を構成する隅角面Ｓ、Ｓに当接して位置決めされるので、通水管１を段ボール箱体３内に安定して収容することができるとともに、その巻回部１ａを安定して回動させることができる。
【００４９】
そして、この第三の実施の形態においても、第一の実施の形態と同様にして、梱包装置２の運搬時等における、通水管１のガタつきを防ぐために、段ボール箱体３に第１ガイド材８およびコーナー部ガイド材１４、１４が入れられているが、通水管１を段ボール箱体３の引出孔３ａから引き出して配管する際には、第１ガイド材８およびコーナー部ガイド材１４、１４を取り除くことで、通水管１の回動抵抗は小さくなる。そして、このように、通水管１の回動抵抗が小さくなることから、この通水管１を引出孔３ａから円滑に引き出すことができる。なお、勿論、第一の実施の形態と同様に、第１ガイド材８およびコーナー部ガイド材１４、１４を段ボール箱体３から取り除くことなく、通水管１を引出孔３ａから引き出してもよい。
【００５０】
図９ないし図１１は、本発明に係る管の梱包装置の第四の実施の形態を示す。この第四の実施の形態に示す梱包装置２１は、第一の実施の形態と同様に、合成樹脂製の配管材からなる通水管１を梱包する梱包装置である。この梱包装置２１は、周回状に巻回された前記通水管１をその周回方向に回動可能に収容する、例えば紙製の、段ボール箱体２２を備えている。そして、この段ボール箱体２２には、通水管１を、その外周側の端部から順に外に引き出すための引出部としての引出孔２２ａが形成されている。こうして、通水管１の、引出孔２２ａからの引き出しに伴って、段ボール箱体２２内の通水管１の巻回された巻回部１ａが解かれるようにして回動する。詳細には、梱包装置２１は、巻回部１ａが、その一方の側面１ｄを下にして載せられるとともに、段ボール箱体２２に対して巻回部１ａの周回方向に回動可能となる、回動体２３を備える。
【００５１】
具体的には、段ボール箱体２２は、紙製の段ボール、例えば両面段ボールからなり、直方体形状に形成されている。そして、段ボール箱体２２は、その直方体形状の最大面積を持つ面が、上面および下面となるように置かれる。この段ボール箱体２２の側面には、前述の引出孔２２ａが設けられ、上面側は、開閉可能な蓋部２２ｂとなっている。また、段ボール箱体２２の下面側となる底板２２ｃの上には、例えば紙製の段ボールからなる、第１補助板２４が貼付け等により固定されている。
【００５２】
回動体２３は、巻回部１ａが載せられる基板２３ａと、基板２３ａ上で巻回部１ａが移動しないように支持する支持材２３ｂ、２３ｂと、第２補助板２３ｃとを有し、これら基板２３ａ、支持材２３ｂおよび第２補助板２３ｃは、例えば紙製の段ボールからなる。ここで、支持材２３ｂは、巻回部１ａの内周面１ｂ側を支持するように、基板２３ａの上に貼付け等により固定されている。第２補助板２３ｃは、基板２３ａの下に貼付け等により固定されおり、この第２補助板２３ｃを通じて、回動体２３は、第１補助板２４上に載せられる。そして、回動体２３と段ボール箱体２２側との接触部（図示実施の形態においては、第２補助板２３ｃと第１補助板２４との接触部）には、回動体２３の回動を円滑にするための、滑材のコーティング層（図示せず）が設けられている。
【００５３】
また、梱包装置２１は、段ボール箱体２２内における、引出孔２２ａの付近に、通水管１の引き出しを案内する案内ローラ２５を備える（図９参照）。この案内ローラ２５は、枠体２６に支持されて、その枠体２６とともに、段ボール箱体２２内のコーナー部に配備される。詳細には、図１１に示すように、案内ローラ２５は、例えば紙製の管体２５ａと、その管体２５ａの各端部に挿入されて管体２５ａを支持するカップ２５ｂとからなる。そして、カップ２５ｂ、２５ｂを挿通するシャフト２７が、断面コの字状に形成された枠体２６の向かい合う片２６ａ、２６ａに、軸受としてのブッシュ２８、２８を介して、回動可能に架け渡されている。こうして、カップ２５ｂ、２５ｂは、管体２５ａとともに、枠体２６に対して回動可能に支持される。
【００５４】
さらに、この梱包装置２１には、ダンボール箱体２２内の、前記案内ローラ２５が配備されるコーナー部を除く他の各コーナー部に、通水管１（巻回部１ａ）が広がらないように、あるいはガタつかないようにガイドする、コーナー部ガイド材２９が取り外し可能に設けられている。
【００５５】
次に、第四の実施の形態に示す梱包装置２１の作用効果について説明する。この梱包装置２１によると、段ボール箱体２２に、周回状に巻回された通水管１が、周回方向に回動可能に収容される。すなわち、回動体２３に、巻回部１ａが、その一方の側面１ｄを下にして載せられる。そして、回動体２３は、段ボール箱体２２に対して巻回部１ａの周方向に回動可能となっており、巻回部１ａは、この回動体２３を介して回動することとなる。
【００５６】
また、こうして、巻回された通水管１は、段ボール箱体２２に収容されて、保管されたり運搬されたりする。そして、通水管１を配管する場合には、段ボール箱体２２から、コーナー部ガイド材２９、２９を取り除く。その後、段ボール箱体２２内の通水管１を、外周側の端部から順に、段ボール箱体２２に形成された引出孔２２ａを通して、外に引き出すと、段ボール箱体２２内の通水管１の巻回された巻回部１ａが解かれるようにして回動する。
【００５７】
そして、このように、段ボール箱体２２内の通水管１を、引出孔２２ａを通して外に引き出すと、巻回部１ａが解かれるようにして回動するので、通水管１が捩れることがない。したがって、通水管１の巻き癖を取りながら引き出すことができ、一般に巻き癖が強いと言われる、架橋ポリエチレン製あるいはポリブデン製等の合成樹脂製の通水管１であっても、簡単かつ容易に引き出して配管する（例えば、予め所定の配管経路に沿って配備された鞘管内に挿通する）ことができる。
【００５８】
また、回動体２３と段ボール箱体２２側との接触部に設けられた、滑材のコーティング層によって、回動体２３の回動が円滑となり、巻回部１ａを、この回動体２３を介して滑らかに回動させることができる。なお、滑材のコーティング層は、回動体２３側に設けられてもよく、また、段ボール箱体２２側に設けられてもよく、さらには、それら回動体２３側と段ボール箱体２２側との両者に設けられてもよい。
【００５９】
さらに、通水管１は、引出孔２２ａの付近において案内ローラ２５に案内されるので、その通水管１の引き出しを滑らかにすることができる。
【００６０】
また、この梱包装置２１の運搬時等における、通水管１のガタつきを防ぐために、段ボール箱体２２にコーナー部ガイド材２９、２９が入れられているが、通水管１を段ボール箱体２２の引出孔２２ａから引き出して配管する際には、コーナー部ガイド材２９、２９が取り除かれるので、通水管１の回動抵抗は小さくなる。そして、このように、通水管１の回動抵抗が小さくなることから、この通水管１を引出孔２２ａから円滑に引き出すことができる。もっとも、コーナー部ガイド材２９、２９を段ボール箱体２２から取り除くことなく、通水管１を引出孔２２ａから引き出してもよい。
【００６１】
図１２ないし図１５は、本発明に係る管の梱包装置の第五の実施の形態を示す。この第五の実施の形態は、第二の実施の形態とは、内側ローラ４の形状および支持方法が異なるが、他はほぼ同様であり、以下に、異なる部分を主に説明する。
【００６２】
この実施の形態においては、内側ローラ４は、通水管１における巻回部１ａの側面１ｄと段ボール箱体３の内面との接触を防ぐ、接触防止部としての張出部４ｄを備えている。この張出部４ｄは、内側ローラ４の各側に鍔状に張り出して形成されており、通水管１の巻回部１ａは、これら張出部４ｄ、４ｄに挟まれるようにして、内側ローラ４に巻かれている。
【００６３】
具体的には、内側ローラ４（図示実施の形態においては、一つの内側ローラ４）は、図１５に示すように、二つのローラ分割体Ｘ、Ｘから構成されている。このローラ分割体Ｘは、例えば、段ボール等の紙製であって、内側ローラ４のローラ部分を形成して、巻回部１ａの内周面１ｂと接触し得る、多角形状の枠からなる枠部材Ｘ１と、前記張出部４ｄを形成する板部材Ｘ２とからなる。そして、これら枠部材Ｘ１と板部材Ｘ２とが、接着等により接合されている。また、図示実施の形態においては、枠部材Ｘ１は、正四角形状の枠からなり、板部材Ｘ２は、正四角形状の板からなっている。そして、各枠部材Ｘ１、Ｘ１には、例えば先端から中間部分まで、切込みＸ１１、Ｘ１１が形成されており、それら切込みＸ１１、Ｘ１１が、合わさるようにして、両枠部材Ｘ１、Ｘ１、つまりは両ローラ分割体Ｘ、Ｘは、この内側ローラ４の回動方向に相対的に４５度ずれた位置で組み付けられる。なお、これらローラ分割体Ｘ、Ｘの組み付けに先だって、枠部材Ｘ１、Ｘ１部分に、予め巻回状態となった巻回部１ａを嵌めるようにしてもよく、また、ローラ分割体Ｘ、Ｘの組み付け後に、通水管１を内側ローラ４に巻き付けるようにしてもよい。
【００６４】
また、板部材Ｘ２には、その中央部分に、孔Ｘ２１が明けられており、この孔Ｘ２１にブッシュ３０が挿入される。そして、このようにして両板部材Ｘ２、Ｘ２に取り付けられたブッシュ３０、３０に、シャフト３１が渡される。また、ブッシュ３０には、頂部に第１鍔部３０ａが形成され、さらに、中間部分に第２鍔部３０ｂが形成されている。
【００６５】
一方、段ボール箱体３には、その内面に、向かい合うようにして、上端から中央部分まで、例えば、横断面がＴ字状の溝３ｇ、３ｇが設けられている。そして、内側ローラ４を段ボール箱体３内に収容するにあたっては、これら溝３ｇ、３ｇに、その上端開口から入れ込んで下端部に落下到達するよう、前記ブッシュ３０の第１鍔部３０ａ、３０ａを挿入する（図１３、図１４参照）。こうして、内側ローラ４は、ダンボール箱体３内に、ブッシュ３０、３０を介して回動可能に支持される。また、このとき、第２鍔部３０ｂは、段ホール箱体３の内面と、内側ローラ４の側面、すなわち、板部材Ｘ２の外面との間に位置し、これら段ボール箱体３の内面と、内側ローラ４の側面、すなわち板部材Ｘ２の外面との接触を防ぐ構造となっている（図１３参照）。なお、このようにして、スペーサーとして機能する第２鍔部３０ｂは、ブッシュ３０に一体に形成されているが、勿論ブッシュ３０とは別体であってもよい。
【００６６】
この第五の実施の形態に示す梱包装置２の作用効果は、第一の実施の形態、あるいは第二の実施の形態とほぼ同様であるが、張出部４ｄによって、通水管１における巻回部１ａの側面１ｄが、段ボール箱体３と擦るのを防ぐことができ、この内側ローラ４の回動、すなわち巻回部１ａの回動が円滑に行われる。しかも、梱包装置２は、段ボール箱体３の内面と内側ローラ４の側面との接触を防ぐ構造となっているので、内側ローラ４の回動、すなわち巻回部１ａの回動が、一層円滑に行われる。
【００６７】
また、内側ローラ４は、多角形状（例えば、正四角形状）の枠からなる複数（例えば、二つ）の枠部材Ｘ１、Ｘ１が、通水管１における巻回部１ａの内周面１ｂと接触して、巻回部１ａの回動を案内する。このとき、枠部材Ｘ１は、複数（例えば、二つ）が、内側ローラ４の回動方向に相対的にずれた位置で組み付けられているため、複数（例えば、二つ）の枠部材Ｘ１、Ｘ１の多数の頂辺が、巻回部１ａの内周面１ｂと接触可能となり、それら頂辺によって効果的に巻回部１ａの回動を案内することができる。また、枠部材Ｘ１、Ｘ１の組み付けにあたって、それら枠部材Ｘ１、Ｘ１に形成された切込みＸ１１、Ｘ１１が合わさるようにして、それら枠部材Ｘ１、Ｘ１が組み付けられることから、その組み付けが容易となる。
【００６８】
なお、本発明は、上述した実施の形態に限定されるわけではなく、その他種々の変更が可能である。例えば、第四の実施の形態において、回動体２３と段ボール箱体２２側との接触部には、滑材のコーティング層が設けられているが、このコーティング層は無くともよい。
【００６９】
また、第五の実施の形態において、内側ローラ４は、予め箱状に形成された段ボール箱体３内に入れられるが、図１６ないし図１８に示すように、段ボール箱体３の組み付けと同時に、その段ボール箱体３に収容されるようにしてもよい。すなわち、図１６に示すように、段ボール箱体３は、分割された二つの分割箱体Ｙ、Ｙからなっている。そして、これら分割箱体Ｙ、Ｙで、内側ローラ４を挟み込むようにして、分割箱体Ｙ、Ｙが組み付けられる。このとき、分割箱体Ｙに固定されたブッシュ４０が、内側ローラ４の板部材Ｘ２に明けられた孔Ｘ２１に挿入され、こうして、この内側ローラ４は、段ボール箱体３内に、ブッシュ４０、４０を介して回動可能に支持される。また、板部材Ｘ２の外面には、板状のスペーサー４１が設けられており、このスペーサー４１により、段ボール箱体３の内面と、内側ローラ４の側面、すなわち板部材Ｘ２の外面との接触を防いでいる。なお、この実施の形態においては、板部材Ｘ２は、四角形状ではなく、八角形状となっている。
【００７０】
また、第二の実施の形態において、内側ローラ４は、通水管１における巻回部１ａの側面１ｄと対面板６の内面との接触を防ぐ、接触防止部を備えていてもよい。ここで、接触防止部は、例えば、第五の実施の形態と同様に、内側ローラ４の各側に鍔状に張り出して形成された張出部からなり、通水管１の巻回部１ａは、これら張出部に挟まれるようにして、内側ローラ４に巻かれることとなる。そして、この張出部によって、巻回部１ａの側面１ｄが、対面板６と擦るのを防ぐことができ、この内側ローラ４の回動、すなわち巻回部１ａの回動が円滑に行われる。
【００７１】
また、第四の実施の形態に示す梱包装置２１は、段ボール箱体２２内における、引出孔２２ａの付近に、通水管１の引き出しを案内する案内ローラ２５を備えているが、第一、第二、第三および第五の実施の形態、並びに他の実施の形態（図１６ないし図１８参照）に示す梱包装置２においても、同様に、段ボール箱体３内における、引出孔３ａの付近に、通水管１の引き出しを案内する案内ローラを備えてもよい。
【００７２】
また、梱包装置２は、巻回部１ａの回動を案内するローラとして、第一、第二および第五の実施の形態、並びに他の実施の形態（図１６ないし図１８参照）においては内側ローラ４のみを備え、第三の実施の形態においては外側ローラ１５のみを備えているが、これら内側ローラ４および外側ローラ１５の両者を備えていてもよい。
【００７３】
また、第四の実施の形態において、通水管１を引き出すための引出部は、段ボール箱体２２の壁部の一部を除去することにより形成された引出孔２２ａでなくとも、図１９に示すように、段ボール箱体２２の壁部の一部を、除去することなく折り曲げることにより形成されてもよい。すなわち、図示実施の形態においては、引出部は、段ボール箱体２２の壁部の一部となる、例えば側壁の一の面を形成する、蓋部Ｚを折り曲げて開くことによって開口する開口部Ｚ１からなる。そして、段ボール箱体２２には、折り曲げられた、前記壁部の一部、すなわち蓋部Ｚが、開口部Ｚ１（引出部）の開口状態の妨げとならないように、折り曲げ状態を維持する維持手段Ｋが設けられている。この維持手段Ｋは、例えば、段ボール箱体２２の、蓋部Ｚおよび上壁に設けられた、止め部Ｋ１、Ｋ１と、それら止め部Ｋ１、Ｋ１間に掛け渡される紐等の掛渡し材Ｋ２とからなる。このようにして、引出部は、段ボール箱体２２の壁部の一部となる蓋部Ｚを、折り曲げて開くことによって開口する開口部Ｚ１からなることから、この開口部Ｚ１（引出部）を簡単に形成することができる。しかも、維持手段Ｋによって、段ボール箱体２２の壁部の一部となる蓋部Ｚの、折り曲げ状態が維持されるので、その蓋部Ｚに邪魔されることなく、通水管１を引き出すことができる。また、第一ないし第三の実施の形態、第五の実施の形態、および他の実施の形態（図１６ないし図１８参照）においても、同様にして、段ボール箱体３の壁部の一部（例えば、蓋部３ｄ）を、除去することなく折り曲げることによって、開口部（引出部）を形成してもよく、さらに、前記壁部の一部（例えば、蓋部３ｄ）の、折り曲げ状態を維持する維持手段を設けてもよい。
【００７４】
また、管は、架橋ポリエチレン製あるいはポリブデン製等の配管材からなる、通水管１でなくとも、合成樹脂製の配管材からなる、可撓性を備えた長尺状の管であれば、例えば、電線とか通水管等を収容する鞘管等であってもよい。
【００７５】
【発明の効果】
以上、詳述したところから明らかなように、この発明に係る管の梱包装置によれば、次の効果がある。
【００７６】
請求項１に記載された管の梱包装置によれば、段ボール箱体内の管を、外周側の端部から順に、引出部を通して外に引き出すと、巻回部が解かれるようにして回動し、管が捩れることがないので、管の巻き癖を取りながら引き出すことができ、巻き癖のある合成樹脂製の管であっても、簡単かつ容易に引き出して配管することができる。
【００７７】
また、請求項２に記載された管の梱包装置によれば、段ボール箱体内の通水管を、外周側の端部から順に、引出部を通して外に引き出すと、巻回部が解かれるようにして回動し、通水管が捩れることがないので、通水管の巻き癖を取りながら引き出すことができ、一般に巻き癖が強いと言われる、架橋ポリエチレン製あるいはポリブデン製等の通水管であっても、簡単かつ容易に引き出して配管することができる。
【００７８】
また、請求項３または４に記載された管の梱包装置によれば、請求項１または２の効果に加えて、管の巻回部の内周面と接触し得る内側ローラによって、巻回部の回動を案内することができる。
【００７９】
また、請求項５に記載された管の梱包装置によれば、請求項３または４の効果に加えて、巻回部の回動を案内する内側ローラが、一対の対面板に架設されることで、管は、段ボール箱体内において、これら対面板および内側ローラを介して支持される。
【００８０】
また、請求項６に記載された管の梱包装置によれば、請求項５の効果に加えて、管を支持する支持体が、段ボール箱体内で移動しないよう位置決めされるので、管を段ボール箱体内に安定して収容することができるとともに、その巻回部を安定して回動させることができる。
【００８１】
また、請求項７に記載された管の梱包装置によれば、請求項３の効果に加えて、接触防止部によって、管における巻回部の側面が、段ボール箱体と擦るのを防止することができ、内側ローラの回動、すなわち巻回部の回動を円滑にすることができる。
【００８２】
また、請求項８に記載された管の梱包装置によれば、請求項１または２の効果に加えて、管の巻回部の外周面と接触し得る外側ローラによって、巻回部の回動を案内することができる。
【００８３】
また、請求項９に記載された管の梱包装置によれば、請求項８の効果に加えて、外側ローラが、段ボール箱体内のコーナー部に配設されることで、コーナー部のスペースを有効利用することができる。
【００８４】
また、請求項１０に記載された管の梱包装置によれば、請求項９の効果に加えて、支持体は、ダンボール箱体内のコーナー部を構成する隅角面に当接して位置決めされるので、管を段ボール箱体内に安定して収容することができるとともに、その巻回部を安定して回動させることができる。
【００８５】
また、請求項１１に記載された管の梱包装置によれば、請求項１または２の効果に加えて、管の巻回部がその一方の側面を下にして載せられる回動体によって、巻回部を回動させることができる。
【００８６】
また、請求項１２に記載された管の梱包装置によれば、請求項１１の効果に加えて、回動体と段ボール箱体側との接触部に、滑材のコーティング層が設けられているので、この回動体を介して、巻回部を滑らかに回動させることができる。
【００８７】
また、請求項１３に記載された管の梱包装置によれば、請求項１または２の効果に加えて、管の巻回部の内周面と接触し得る内側ローラと、その巻回部の外周面と接触し得る外側ローラによって、巻回部の回動を案内することができる。
【００８８】
また、請求項１４に記載された管の梱包装置によれば、請求項３ないし７のいずれか１項、または請求項１３の効果に加えて、複数の枠部材の多数の頂辺が、巻回部の内周面と接触可能となるので、それら頂辺によって効果的に巻回部の回動を案内することができる。
【００８９】
また、請求項１５または１６に記載された管の梱包装置によれば、請求項１４の効果に加えて、枠部材に形成された切込みが合わさるようにして、複数の枠部材が組み付けられることから、その組み付けを容易に行うことができる。
【００９０】
また、請求項１７に記載された管の梱包装置によれば、請求項１ないし１６のいずれか１項の効果に加えて、管を、引出部の付近において案内ローラによって案内することで、その管の引き出しを滑らかにすることができる。
【図面の簡単な説明】
【図１】この発明に係る管の梱包装置の第一の実施の形態の、縦断面図である。
【図２】同じく、図１におけるＡ−Ａ線による拡大断面図である。
【図３】同じく、分解斜視図である。
【図４】この発明に係る管の梱包装置の第二の実施の形態の、縦断面図である。
【図５】同じく、図４におけるＢ−Ｂ線による拡大断面図である。
【図６】同じく、分解斜視図である。
【図７】この発明に係る管の梱包装置の第三の実施の形態の、縦断面図である。
【図８】同じく、支持体を示す拡大断面図である。
【図９】この発明に係る管の梱包装置の第四の実施の形態の、平断面図である。
【図１０】同じく、図９におけるＣ−Ｃ線による拡大断面図である。
【図１１】同じく、案内ローラおよび枠体を示す拡大断面図である。
【図１２】この発明に係る管の梱包装置の第五の実施の形態の、縦断面図である。
【図１３】同じく、図１２におけるＤ−Ｄ線による要部拡大断面図である。
【図１４】同じく、分解斜視図である。
【図１５】同じく、内側ローラの分解斜視図である。
【図１６】この発明に係る管の梱包装置の他の実施の形態の、分解断面図である。
【図１７】同じく、縦断面図である。
【図１８】同じく、図１７におけるＥ−Ｅ線による要部拡大断面図である。
【図１９】この発明に係る管の梱包装置のさらに他の実施の形態の、縦断面図である。
【符号の説明】
１　通水管（管）　　　　　　　　　１ａ　巻回部
１ｂ　内周面　　　　　　　　　　　１ｃ　外周面
１ｄ　側面　　　　　　　　　　　　２　梱包装置
３　段ボール箱体　　　　　　　　　３ａ　引出孔（引出部）
４　内側ローラ　　　　　　　　　　４ｄ　張出部（接触防止部）
５　支持体　　　　　　　　　　　　６　対面板
１５　外側ローラ　　　　　　　　　１６　支持体
１７ａ　対面板　　　　　　　　　　２１　梱包装置
２２　段ボール箱体　　　　　　　　２２ａ　引出孔（引出部）
２３　回動体　　　　　　　　　　　２５　案内ローラ
Ｘ１　枠部材　　　　　　　　　　　Ｘ１１　切込み
Ｚ１　開口部（引出部）
【図１】
2004001864.tif 000003
【図２】
2004001864.tif 000004
【図３】
2004001864.tif 000005
【図４】
2004001864.tif 000006
【図５】
2004001864.tif 000007
【図６】
2004001864.tif 000008
【図７】
2004001864.tif 000009
【図８】
2004001864.tif 000010
【図９】
2004001864.tif 000011
【図１０】
2004001864.tif 000012
【図１１】
2004001864.tif 000013
【図１２】
2004001864.tif 000014
【図１３】
2004001864.tif 000015
【図１４】
2004001864.tif 000016
【図１５】
2004001864.tif 000017
【図１６】
2004001864.tif 000018
【図１７】
2004001864.tif 000019
【図１８】
2004001864.tif 000020
【図１９】
2004001864.tif 000021